【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
コンテンツに係る属性または当該コンテンツにアクセスするユーザに係る属性を評価する属性評価システムであって、
第１のコンテンツにリンクされた第２のコンテンツに係る情報を記憶するコンテンツ情報記憶手段と、
前記コンテンツ情報記憶手段により記憶された第２のコンテンツに係る情報に基づいて第１のコンテンツに係る属性または第１のコンテンツにアクセスするユーザに係る属性を評価する属性評価手段と、
を備えたことを特徴とする属性評価システム。
【請求項２】
前記コンテンツ情報記憶手段は、第１のコンテンツに係る情報をさらに記憶し、前記属性評価手段は、前記コンテンツ情報記憶手段により記憶された第１のコンテンツに係る情報および第２のコンテンツに係る情報に基づいて第１のコンテンツに係る属性または第１のコンテンツにアクセスするユーザに係る属性を評価することを特徴とする請求項１に記載の属性評価システム。
【請求項３】
前記コンテンツ情報記憶手段は、各コンテンツに係る重みの情報をさらに記憶し、前記属性評価手段は、前記コンテンツ情報記憶手段により記憶されたコンテンツに係る情報およびコンテンツに係る重みの情報に基づいて第１のコンテンツに係る属性または第１のコンテンツにアクセスするユーザに係る属性を評価することを特徴とする請求項１または２に記載の属性評価システム。
【請求項４】
前記コンテンツ情報記憶手段は、第１のコンテンツに係る重みの情報、および、第１のコンテンツに係る重みよりも小さく設定された第２のコンテンツに係る重みの情報をさらに記憶し、前記属性評価手段は、前記コンテンツ情報記憶手段により記憶されたコンテンツに係る情報およびコンテンツに係る重みの情報に基づいて、第１のコンテンツに係る属性または第１のコンテンツにアクセスするユーザに係る属性を評価することを特徴とする請求項３に記載の属性評価システム。
【請求項５】
前記コンテンツに係る重みを他のコンテンツによりリンクされた被リンク数、前記コンテンツにリンクされた他のコンテンツに係る重み、コンテンツがユーザにより閲覧された閲覧数、コンテンツに対応するドメイン名、または、コンテンツの更新頻度に基づいて決定する重み決定手段をさらに備え、前記コンテンツ情報記憶手段は、前記重み決定手段により決定された重みの情報を記憶することを特徴とする請求項３または４に記載の属性評価システム。
【請求項６】
前記コンテンツ情報記憶手段は、ユーザにより過去の所定の時間内に入力されたコンテンツの検索キーワードに係る情報をさらに記憶し、前記属性評価手段は、前記コンテンツ情報記憶手段により記憶された第２のコンテンツに係る情報および検索キーワードに係る情報に基づいて第１のコンテンツに係る属性または第１のコンテンツにアクセスするユーザに係る属性を評価することを特徴とする請求項１〜５のいずれか１つに記載の属性評価システム。
【請求項７】
第１のコンテンツと第２のコンテンツとの間に設定されたリンクは、ハイパーリンク、または、コンテンツに対してトラックバックが実行されることにより設定されたリンクであることを特徴とする請求項１〜６のいずれか１つに記載の属性評価システム。
【請求項８】
コンテンツまたはコンテンツに対応するメタデータに含まれる情報に基づいて当該コンテンツに係る属性を判定する属性判定手段をさらに備え、前記コンテンツ情報記憶手段は、前記属性判定手段により判定された属性に係る情報をコンテンツに係る情報として記憶することを特徴とする請求項１〜７のいずれか１つに記載の属性評価システム。
【請求項９】
前記属性判定手段は、単語をカテゴリーに分類した情報を記憶したデータベースを参照し、コンテンツまたはコンテンツに対応するメタデータに含まれる単語を分類したカテゴリーに係る情報に基づいてコンテンツに係る属性を判定することを特徴とする請求項８に記載の属性評価システム。
【請求項１０】
前記属性判定手段は、カテゴリーに分類した単語を階層化した情報を記憶したデータベースを参照し、各階層に属する単語に階層ごとにあらかじめ割り当てられた重みの情報に基づいてコンテンツに係る属性を判定することを特徴とする請求項９に記載の属性評価システム。
【請求項１１】
前記データベースは、単語間の意味の包括関係に基づいて階層化した単語の情報を記憶したことを特徴とする請求項１０に記載の属性評価システム。
【請求項１２】
各階層に属する単語に階層ごとにあらかじめ割り当てられた重みは、前記包括関係の上位にある単語ほど大きいことを特徴とする請求項１０または１１に記載の属性評価システム。
【請求項１３】
前記データベースにおけるカテゴリーのインデックスとなる単語が他のカテゴリーに属さないことを特徴とする請求項９〜１２のいずれか１つに記載の属性評価システム。
【請求項１４】
前記属性判定手段は、地域のカテゴリーに地域に係る単語または地域に係る単語以外の単語を分類した情報を記憶したデータベースを参照し、コンテンツまたはコンテンツに対応するメタデータに含まれる単語を地域のカテゴリーに分類した分類情報に基づいてコンテンツに係る地域の属性を判定することを特徴とする請求項９〜１３のいずれか１つに記載の属性評価システム。
【請求項１５】
前記属性判定手段は、コンテンツまたはコンテンツに対応するメタデータに含まれる緯度経度情報に基づいて当該コンテンツに係る地域の属性を判定し、前記コンテンツ情報記憶手段は、前記属性判定手段により判定された属性に係る情報をコンテンツに係る情報として記憶することを特徴とする請求項８に記載の属性評価システム。
【請求項１６】
前記属性判定手段は、コンテンツに係る地域の属性と当該コンテンツの内容を分類したカテゴリーの属性とを判定することを特徴とする請求項８〜１５のいずれか１つに記載の属性評価システム。
【請求項１７】
前記属性判定手段は、単語を感情、感覚または情緒に係るカテゴリーに分類した情報を記憶したデータベースを参照し、コンテンツまたはコンテンツに対応するメタデータに含まれる単語を分類することにより得られた感情、感覚または情緒に係るカテゴリーに係る情報に基づいて感情、感覚または情緒に係るコンテンツの属性を判定することを特徴とする請求項９に記載の属性評価システム。
【請求項１８】
前記コンテンツ情報記憶手段により記憶される第２のコンテンツに係る情報は、第ｎ（ｎ＝２，３，・・・，ｍ：ｍは２以上の自然数）のコンテンツにリンクされた第ｎ＋１のコンテンツに係る情報に基づいて決定された情報であることを特徴とする請求項１〜１７のいずれか１つに記載の属性評価システム。
【請求項１９】
前記属性評価手段は、第１のコンテンツに係る属性または第１のコンテンツにアクセスするユーザに係る属性を評価する場合に、所定の条件に合致するコンテンツに係る情報を評価に用いる情報から除外することを特徴とする請求項１〜１８のいずれか１つに記載の属性評価システム。
【請求項２０】
前記属性評価手段は、第１のコンテンツに係る属性または第１のコンテンツにアクセスするユーザに係る属性を評価したのち、第１のコンテンツに係る属性または第１のコンテンツにアクセスするユーザに係る属性をコンテンツに対応するメタデータとして記憶することを特徴とする請求項１〜１９のいずれか１つに記載の属性評価システム。
【請求項２１】
コンテンツの検索要求を検索キーワードとなる単語とともに受け付けた場合に、前記属性評価手段により評価された第１のコンテンツに係る属性または第１のコンテンツにアクセスするユーザに係る属性の情報を取得し、取得した属性および検索キーワードとなる単語を検索キーワードとして検索をおこなうコンテンツ検索手段をさらに備えたことを特徴とする請求項１〜２０のいずれか１つに記載の属性評価システム。
【請求項２２】
前記属性評価手段は、第１のコンテンツに係る属性または第１のコンテンツにアクセスするユーザに係る属性の評価結果をデータベースに記憶し、コンテンツのメタデータに記述された名前空間に基づく第１のコンテンツに係る属性または第１のコンテンツにアクセスするユーザに係る属性の参照要求を受信した場合に、参照要求がなされた第１のコンテンツに係る属性または第１のコンテンツにアクセスするユーザに係る属性を出力することを特徴とする請求項１〜２１のいずれか１つに記載の属性評価システム。
【請求項２３】
前記属性評価手段は、コンテンツのメタデータに記述された名前空間に基づく第１のコンテンツに係る属性または第１のコンテンツにアクセスするユーザに係る属性の参照要求を受信したのを契機として、第１のコンテンツに係る属性または第１のコンテンツにアクセスするユーザに係る属性を評価することを特徴とする請求項２２に記載の属性評価システム。
【請求項２４】
前記属性評価手段は、ユーザにより入力されたコンテンツの検索キーワードに基づいて評価した第１のコンテンツに係る属性または第１のコンテンツにアクセスするユーザに係る属性の評価結果をさらにデータベースに記憶し、コンテンツのメタデータに記述された名前空間に基づく第１のコンテンツに係る属性または第１のコンテンツにアクセスするユーザに係る属性の参照要求を受信した場合に、参照要求がなされた第１のコンテンツに係る属性または第１のコンテンツにアクセスするユーザに係る属性を出力することを特徴とする請求項２２または２３に記載の属性評価システム。
【請求項２５】
コンテンツに係る属性または当該コンテンツにアクセスするユーザに係る属性を評価する属性評価プログラムであって、
第１のコンテンツにリンクされた第２のコンテンツに係る情報を記憶するコンテンツ情報記憶手順と、
前記コンテンツ情報記憶手順により記憶された第２のコンテンツに係る情報に基づいて第１のコンテンツに係る属性または第１のコンテンツにアクセスするユーザに係る属性を評価する属性評価手順と、
をコンピュータに実行させることを特徴とする属性評価プログラム。
【請求項２６】
コンテンツに係る属性または当該コンテンツにアクセスするユーザに係る属性を評価する属性評価方法であって、
第１のコンテンツにリンクされた第２のコンテンツに係る情報を記憶するコンテンツ情報記憶工程と、
前記コンテンツ情報記憶工程により記憶された第２のコンテンツに係る情報に基づいて第１のコンテンツに係る属性または第１のコンテンツにアクセスするユーザに係る属性を評価する属性評価工程と、
を含んだことを特徴とする属性評価方法。
【請求項２７】
コンテンツに係る属性または当該コンテンツにアクセスするユーザに係る属性を評価する属性評価プログラムであって、
ユーザにより過去の所定の時間内に入力されたコンテンツの検索キーワードに係る情報を記憶するコンテンツ情報記憶手順と、
前記コンテンツ情報記憶手順により記憶されたコンテンツの検索キーワードに係る情報に基づいてコンテンツに係る属性またはコンテンツにアクセスするユーザに係る属性を評価する属性評価手順と、
をコンピュータに実行させることを特徴とする属性評価プログラム。
【請求項２８】
コンテンツに係る属性または当該コンテンツにアクセスするユーザに係る属性を評価する属性評価システムであって、
ユーザにより過去の所定の時間内に入力されたコンテンツの検索キーワードに係る情報を記憶するコンテンツ情報記憶手段と、
前記コンテンツ情報記憶手段により記憶されたコンテンツの検索キーワードに係る情報に基づいてコンテンツに係る属性またはコンテンツにアクセスするユーザに係る属性を評価する属性評価手段と、
を備えたことを特徴とする属性評価システム。
【請求項２９】
コンテンツに係る属性または当該コンテンツにアクセスするユーザに係る属性を評価する属性評価方法であって、
ユーザにより過去の所定の時間内に入力されたコンテンツの検索キーワードに係る情報を記憶するコンテンツ情報記憶工程と、
前記コンテンツ情報記憶工程により記憶されたコンテンツの検索キーワードに係る情報に基づいてコンテンツに係る属性またはコンテンツにアクセスするユーザに係る属性を評価する属性評価工程と、
を含んだことを特徴とする属性評価方法。